(57)【要約】      （修正有）【課題】安全且つ容易に施工することができ、施工コストの低減化を図る。【解決手段】枠組足場用先行手摺１は、各建枠５の２本一対の縦材のうちのそれぞれいずれか一方の縦材３ａに着脱可能に設けられる上下方向に長い支柱１２と、両支柱１２の上端部同士を連結する着脱可能な上桟１３と、を備え、支柱１２の上下端部には縦材に３ａに支柱１２を固定するための締結具１９が設けられ、支柱１２の上端部には上桟１３を取り付けるための上桟取付具が設けられ、支柱１２の下部であって支柱１２の下端部の締結部１９の上方には、建枠５に筋交い８を取り付けるための筋交い取付具に掛止可能な掛止具が設けられている。【選択図】図１
2014031623.tif 000002
【特許請求の範囲】
【請求項１】
２本一対の縦材と該両縦材の上端を結合する横材とにより門型に形成される建枠をお互いに対向するように起立させて該両建枠を筋交いで連結すると共に該両建枠の前記横材間に足場板を架設して形成される枠組足場において、新たに施工する最上段の足場の手摺として取り付けられる先行手摺であって、
前記各建枠の２本一対の縦材のうちのそれぞれいずれか一方の縦材に着脱可能に設けられる上下方向に長い支柱と、
該両支柱の上端部同士を連結する着脱可能な上桟と、
を備え、前記支柱の上下端部には前記縦材に該支柱を固定するための締結具が設けられ、前記支柱の上端部には前記上桟を取り付けるための上桟取付具が設けられ、前記支柱の下部であって前記支柱の下端部の締結部の上方には、前記建枠に前記筋交いを取り付けるための筋交い取付具に掛止可能な掛止具が設けられていることを特徴とする枠組足場用先行手摺。
【請求項２】
前記上桟より下方において前記両支柱同士を連結する着脱可能な中桟をさらに備え、
前記支柱には、前記上桟取付具と前記掛止具との間に前記中桟を取り付けるための中桟取付具が設けられていることを特徴とする請求項１に記載の枠組足場用先行手摺。
【請求項３】
建枠の縦材に支柱を固定するための締結具が上下端部に設けられ、上桟を取り付けるための上桟取付具が上端部に設けられ、該上桟取付具の下方に中桟を取り付けるための中桟取付具が設けられ、下部であって前記下端部の締結部の上方に建枠の筋交い取付具に掛止可能な掛止具が設けられる先行手摺を枠組足場に施工する方法であって、
前記建枠をお互いに対向するように起立させて該両建枠を筋交いで連結する工程と、
一方の建枠の一方の縦材の前記筋交い取付具に前記掛止具を掛止すると共に該一方の建枠の一方の縦材に一方の支柱の下端部の前記締結具を固定して該一方の建枠の縦材に前記一方の支柱を固定する工程と、
該一方の支柱の前記上桟取付具に前記上桟の一端部を取り付けると共に他方の支柱の前記上桟取付具に前記上桟の他端部を取り付けると共に、前記一方の支柱の前記中桟取付具に前記中桟の一端部を取り付けると共に前記他方の支柱の前記中桟取付具に前記中桟の他端部を取り付けた上で、他方の建枠の一方の縦材の前記筋交い取付具に前記掛止具を掛止すると共に該他方の建枠の一方の縦材に他方の支柱の下端部の前記締結具を固定して該他方の建枠の一方の縦材に前記他方の支柱を固定する工程と、
前記両建枠間に足場板を架設する工程と、
を備えていることを特徴とする枠組足場用先行手摺の施工方法。
【発明の詳細な説明】
【技術分野】
【０００１】
本発明は、先行手摺及びその施工方法に関し、特に、枠組足場用先行手摺及びその施工方法に関するものである。
【背景技術】
【０００２】
一般に、建設作業現場等で使用される仮設足場として、各部寸法が規定された門型の建枠を組み上げて形成される枠組足場が知られている。
【０００３】
このような枠組足場には、作業者の落下防止を図るため、安全設備としての手摺が設けられる。この手摺は、枠組足場の組み立て時には足場の最上段に当たる部分に先行して設置され、枠組足場の解体時には最上段の足場板を取り外すまでは残されるため、先行手摺と呼ばれている。
【０００４】
従来のこの種の先行手摺としては、例えば、特許文献１に開示されているように、縦柱に固定される取付け装置を介して枠組足場に取り付けられる門型又は鳥居型の持ち上がり式先行手すり枠や、非特許文献１に開示されているように、専用金具を使用して支柱を枠組足場の建枠に取り付けた後、その支柱にさらに専用の手すり部材を取り付ける手すり先行足場などが知られている。
【先行技術文献】
【特許文献】
【０００５】
【特許文献１】特開２００３−１４７９５３号公報
【非特許文献】
【０００６】
【非特許文献１】ホリー株式会社の手すり先行足場「ＨＯＲＹ  ＵＰ  ＴＲＩＯ  ＳＹＳＴＥＭ」のカタログ
【発明の概要】
【発明が解決しようとする課題】
【０００７】
しかしながら、特許文献１の先行手摺では、専用の取付け装置や手すり枠が必要となり、しかも、取付け装置はかなり複雑な構造を有しているため、製造や組み立て等に手間が掛かり、施工コストの増大要因となるという問題がある。また、特許文献１の先行手摺は盛り替えるタイプであるため、施工に手間が掛かり、使い勝手が悪いという問題もある。
【０００８】
また、非特許文献１の先行手摺では、枠組足場を組んだ上で先行手摺を取り付ける必要があるため、施工が面倒であるという問題がある。さらに、専用金具を使用する必要があると共に、手すり部材も専用の材料を使用する必要があるため、コストが掛かるという問題もある。
【０００９】
本発明は、上記した課題を解決すべくなされたものであり、安全且つ容易に施工することができ、施工コストの低減化を図ることのできる枠組足場用先行手摺及びその施工方法を提供することを目的とするものである。
【課題を解決するための手段】
【００１０】
上記した目的を達成するため、本発明は、２本一対の縦材と該両縦材の上端を結合する横材とにより門型に形成される建枠をお互いに対向するように起立させて該両建枠を筋交いで連結すると共に該両建枠の前記横材間に足場板を架設して形成される枠組足場において、新たに施工する最上段の足場の手摺として取り付けられる先行手摺であって、前記各建枠の２本一対の縦材のうちのそれぞれいずれか一方の縦材に着脱可能に設けられる上下方向に長い支柱と、該両支柱の上端部同士を連結する着脱可能な上桟と、を備え、前記支柱の上下端部には前記縦材に該支柱を固定するための締結具が設けられ、前記支柱の上端部には前記上桟を取り付けるための上桟取付具が設けられ、前記支柱の下部であって前記支柱の下端部の締結部の上方には、前記建枠に前記筋交いを取り付けるための筋交い取付具に掛止可能な掛止具が設けられていることを特徴とする。
【００１１】
また、本発明に係る枠組み足場用先行手摺において、前記上桟より下方において前記両支柱同士を連結する着脱可能な中桟をさらに備え、前記支柱には、前記上桟取付具と前記掛止具との間に前記中桟を取り付けるための中桟取付具が設けられていることを特徴とする。
【００１２】
また、本発明は、建枠の縦材に支柱を固定するための締結具が上下端部に設けられ、上桟を取り付けるための上桟取付具が上端部に設けられ、該上桟取付具の下方に中桟を取り付けるための中桟取付具が設けられ、下部であって前記下端部の締結部の上方に建枠の筋交い取付具に掛止可能な掛止具が設けられる先行手摺を枠組足場に施工する方法であって、前記建枠をお互いに対向するように起立させて該両建枠を筋交いで連結する工程と、一方の建枠の一方の縦材の前記筋交い取付具に前記掛止具を掛止すると共に該一方の建枠の一方の縦材に一方の支柱の下端部の前記締結具を固定して該一方の建枠の縦材に前記一方の支柱を固定する工程と、該一方の支柱の前記上桟取付具に前記上桟の一端部を取り付けると共に他方の支柱の前記上桟取付具に前記上桟の他端部を取り付けると共に、前記一方の支柱の前記中桟取付具に前記中桟の一端部を取り付けると共に前記他方の支柱の前記中桟取付具に前記中桟の他端部を取り付けた上で、他方の建枠の一方の縦材の前記筋交い取付具に前記掛止具を掛止すると共に該他方の建枠の一方の縦材に他方の支柱の下端部の前記締結具を固定して該他方の建枠の一方の縦材に前記他方の支柱を固定する工程と、前記両建枠間に足場板を架設する工程と、を備えていることを特徴とする。
【発明の効果】
【００１３】
本発明によれば、安全且つ容易に施工することができ、施工コストの低減化を図ることができる等種々の優れた効果を得ることができる。
【図面の簡単な説明】
【００１４】
【図１】本発明の実施の形態に係る枠組足場用先行手摺を取り付けた枠組足場を示す正面図である。
【図２】本発明の実施の形態に係る枠組足場用先行手摺を取り付けた枠組足場を示す側面図である。
【図３】本発明の実施の形態に係る枠組足場用先行手摺の支柱を背面側から示す斜視図である。
【発明を実施するための形態】
【００１５】
以下、図面を参照しつつ、本発明の実施の形態に係る枠組足場用先行手摺について説明する。ここで、図１は本発明の実施の形態に係る枠組足場用先行手摺を取り付けた枠組足場を示す正面図、図２は本発明の実施の形態に係る枠組足場用先行手摺を取り付けた枠組足場を示す側面図、図３は本発明の実施の形態に係る枠組足場用先行手摺の支柱を背面側から示す斜視図である。なお、以下の説明では、便宜上、前後の向きは本発明の実施の形態に係る枠組足場用先行手摺を取り付ける正面側を前側と定義して説明する。
【００１６】
本実施の形態に係る枠組足場用先行手摺１は、枠組足場２に取り付けられる。枠組足場２は、前後２本一対の縦材３ａ，３ｂと両縦材３ａ，３ｂの上端を結合する横材４とにより門型に形成される建枠５と、建枠５の各縦材３ａ，３ｂの下端に装着されるベース金具６と、各縦材３ａ，３ｂの下部に水平に締結される単管パイプから成る根がらみ７と、ベース金具６を介してお互いに対向するように地面に起立された両建枠５を連結する筋交い８と、両建枠５の横材４間に架設される足場板９と、足場板９上からの作業員の落下防止のために取り付けられる枠組足場用先行手摺１と、を備えて構成されている。
【００１７】
建枠５の各縦材３ａ，３ｂには、お互いに対向する上下の位置に、取付ピン１０，１１がそれぞれ突設されている。取付ピン１０，１１にはそれぞれ筋交い８の両端部が掛止可能となっており、取付ピン１０，１１は筋交い８を取り付けるための筋交い取付具として機能する。
【００１８】
枠組足場用先行手摺１は、各建枠５の２本一対の縦材３ａ，３ｂのうちのそれぞれ前側の対向する縦材３ａに着脱可能に設けられる上下方向に長い支柱１２と、両支柱１２の上端部同士を連結する着脱可能な上桟１３と、上桟１３より下方において両支柱１２同士を連結する着脱可能な中桟１４と、を備えて構成されている。
【００１９】
図３に良く示されているように、支柱１２は、例えば金属製角パイプから成り、支柱１２の鉛直な後面１５の上下端部には、それぞれ短い平板１６，１７が片持ち梁状に水平に溶接されて固定されている。上下端部の平板１６，１７の前面側には、単管クランプ１８，１９がそれぞれ取り付けられており、単管クランプ１８，１９は縦材３ａに支柱１２を固定するための締結具として機能する。また、上端部の平板１６の後面側には第１固定ピン２０が突設されており、第１固定ピン２０は上桟１３を取り付けるための上桟取付具として機能する。
【００２０】
支柱１２の下部であって支柱１２の下端部の平板１７の上方の側面には、Ｌ字板状の掛止具２１が片持ち梁状に水平に溶接されて固定されている。掛止具２１には円形孔２２が穿設されており、円形孔２２に縦材３ａ，３ｂの上側の取付ピン１０が掛止可能となっている。
【００２１】
また、支柱１２の後面１５には、第１固定ピン２０と掛止具２１との間に、第２固定ピン２２が突設されている。第２固定ピン２２にはそれぞれ中桟１４の両端部が掛止可能となっており、第２固定ピン２２は中桟１４を取り付けるための中桟取付具として機能する。
【００２２】
次に、図面を参照しつつ、本発明の実施の形態に係る枠組足場用先行手摺１を備えた枠組足場２の組み立て方法について説明する。
【００２３】
先ず、図１及び図２に示すように、地面にベース金具６を介して複数（図示では３個）の建枠５をお互いに対向するように起立させ、各建枠５の後側の対向する縦材３ｂの取付ピン１０，１１に筋交い８の両端部をそれぞれ掛止させ、縦材３ｂ間に筋交い８を取り付ける。また、各建枠５の縦材３ａ，３ｂの下側の取付ピン１１より下方にそれぞれ根がらみ７を水平に締結する。
【００２４】
次いで、一方の建枠５の前側の縦材３ａの取付ピン１０に掛止具２１を掛止すると共に一方の建枠５の前側の縦材３ａに一方の支柱１２の下端部の単管クランプ１９を固定して、一方の建枠５の前側の縦材３ａに一方の支柱１２を固定する。
【００２５】
次いで、一方の支柱１２の第１固定ピン２０に上桟１３の一端部を取り付けると共に他方の支柱１２の第１固定ピン２０に上桟１３の他端部を取り付け、また、一方の支柱１２の第２固定ピン２２に中桟１４の一端部を取り付けると共に他方の支柱１２の第２固定ピン２２に中桟１４の他端部を取り付けた上で、他方の建枠５の前側の縦材３ａの取付ピン１０に掛止具２１を掛止すると共に他方の建枠５の前側の縦材３ａに他方の支柱１２の下端部の単管クランプ１９を固定して、他方の建枠５の前側の縦材３ａに他方の支柱１２を固定する。
【００２６】
そして、両建枠５の横材４間に足場板９を架設し、各建枠５の前側の対向する縦材３ａの取付ピン１０，１１に筋交い８の両端部をそれぞれ掛止させ、縦材３ａ間に筋交い８を取り付ける。
【００２７】
以降、２段目より上段の足場についても同様に先行手摺１を組み立て、所定段数の枠組足場２を組み立てる。なお、２段目より上段の足場において、各建枠５の前側の縦材３ａ間には、先行手摺１が取り付けられているため、筋交い８を取り付ける必要がない。
また、枠組足場２を解体する場合には、上記した組み立て方法の逆の手順で行うことができるため、ここではその詳細な説明については省略する。
【００２８】
このように上記した実施の形態に係る枠組足場用先行手摺１及びその施工方法によれば、市販の上桟１３や中桟１４を使用することができ、専用の部品は支柱１２だけであり、しかも支柱１２は極めて簡単な構造を有している。また、本実施の形態に係る枠組足場用先行手摺１は、筋交い８の代わりになるため、前側の縦材３ａ間の筋交い８を省略することができる。したがって、先行手摺１の製造や施工を容易に行うことができ、施工コストの低減化を図ることができる。また、先行手摺１を簡単な手順で確実に取り付けることができ、安全性の向上を図ることができる。
【００２９】
なお、上記した本発明の実施の形態の説明は、本発明に係る枠組足場用先行手摺及びその施工方法における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３０】
１          枠組足場用先行手摺
２          枠組足場
３ａ，３ｂ  縦材
４          横材
５          建枠
８          筋交い
９          足場板
１０，１１  取付ピン（筋交い取付具）
１２        支柱
１３        上桟
１４        中桟
１８，１９  直管クランプ（締結具）
２０        第１固定ピン（上桟取付具）
２１        掛止具
２２        第２固定ピン（中桟取付具）
【図１】
2014031623.tif 000003
【図２】
2014031623.tif 000004
【図３】
2014031623.tif 000005